(57)【要約】【課題】  所定の装置の操作パネル及び様々な状況を模擬し、訓練のコストと時間を低減する。【解決手段】  この模擬ソフトウェアシステムは、訓練モジュール、表示装置及び保存装置を含む。訓練テキストの複数の事件、複数の操作表示領域、複数の応答表示領域及び複数の応答画面が保存装置に保存される。この実行方法は、訓練テキストの複数の事件を提供するステップと、操作表示領域と応答表示領域を提供するステップと、第１の事件と第２の事件を定義するステップと、第１の事件と第２の事件に応じた応答画面を定義し、応答表示領域に応答画面を表示するステップと、訓練モジュールが製作されるステップと、実体人機インターフェイスにモジュールが接続されるステップとを含む。【選択図】  図１
2010032968.tif 000002
【特許請求の範囲】
【請求項１】
訓練テキストの複数のイベントを提供するステップと、
操作表示領域と応答表示領域を提供するステップと、
前記操作表示領域に前記複数のイベントのうちの第１のイベントを定義し、前記応答表示領域に前記複数のイベントのうちの第２のイベントを定義するステップと、
前記第１のイベントと前記第２のイベントに応じた少なくとも一つの応答画面または一連の応答画面を定義し、前記応答表示領域に前記応答画面を表示するステップと、
前記第１のイベントと前記第２のイベントの定義が完了したかどうかを判断するステップと、
前記複数のイベントのうちの前記第１のイベントと前記第２のイベントから訓練モジュールが製作されるステップと、
実体人機インターフェイスに前記モジュールが接続されるステップと、
を含むことを特徴とする模擬ソフトウェアの実行方法。
【請求項２】
前記操作表示領域と前記応答表示領域が表示装置に提供されることを特徴とする請求項１記載の模擬ソフトウェアの実行方法。
【請求項３】
前記訓練モジュールは、リモコンにより家電製品の設定または制御計器盤により大型機の制御の模擬操作ステップために用いられることを特徴とする請求項１記載の模擬ソフトウェアの実行方法。
【請求項４】
前記応答画面は順番に表示されることを特徴とする請求項１記載の模擬ソフトウェアの実行方法。
【請求項５】
前記訓練モジュールが異常／エラー処理モジュールに接続されるステップをさらに含むことを特徴とする請求項１記載の模擬ソフトウェアの実行方法。
【請求項６】
訓練テキストの複数のイベント、複数の操作表示領域、複数の応答表示領域及び複数の応答画面を保存する保存装置と、
前記操作表示領域により定義される前記複数のイベントのうちの第１のイベントと、
前記応答表示領域により定義される前記複数のイベントのうちの第２のイベントと、
前記第１のイベントと前記第２のイベントから製作されて実体人機インターフェイスに接続される訓練モジュール、を備え、
前記複数の応答画面の少なくとも１つは、前記第１のイベントと前記第２のイベントに応じて定義されて応答表示領域に表示されることを特徴とする模擬ソフトウェアシステム。
【請求項７】
前記訓練モジュールは、リモコンにより家電製品の設定または制御計器盤により大型機の制御の模擬操作ステップために用いられることを特徴とする請求項６記載の模擬ソフトウェアシステム。
【請求項８】
前記操作表示領域と前記応答表示領域は、表示装置に表示されることを特徴とする請求項６記載の模擬ソフトウェアシステム。
【請求項９】
前記訓練モジュールは、異常／エラー処理モジュールに接続されることを特徴とする請求項６記載の模擬ソフトウェアシステム。
【発明の詳細な説明】
【技術分野】
【０００１】
本発明は、模擬ソフトウェアシステムおよびその実行方法に関し、特に、様々な機械または装置のための模擬ソフトウェアシステムおよびその実行方法に関する。
【背景技術】
【０００２】
プログラム型操作システムまたは装置は、例えば、半導体パッケージ産業のテスト装置および分類装置など、製造工程の歩留り率と製品収率とを向上させるために、半自動化工場で広く用いられている。しかし、その製造工程における操作装置の操作手順指令が多いため、新しい操作人員は、長い時間の教育及び訓練を行ってからでなければ現場でその装置を操作することができなかった。また、新しい操作装置については、新しい操作人員以外に、古参人員に対しても教育及び訓練を行う必要があり、全ての操作人員は全般的な教育及び訓練を行ってからでなければ現場で実際にその装置を操作することができなかった。そのため、必要のない操作手順によるエラーで工程の歩留り率と製品収率とが低下し、生産コストが増大することを防ぐことができなかった。
【０００３】
なお、各製造工程の操作装置は値段が非常に高く、実際の操作装置で操作人員に対する全般的な教育と訓練を行わないと、その装置は正常に運転することができなかった。これにより、訓練のコストに見合わない上、その装置の操作が適切でない場合、装置が容易に壊れ、製造のコストを大幅に増大させる。そのため、現在の操作人員の訓練は、人事部で製作される教学ビデオまたはスライドによって、段階的に解説する教学方式で、操作時のパネルの操作インターフェイス、操作手順指令および実際に起こりえる様々な状況を逐一説明している。しかし、この訓練の方式では、新しい操作人員は実際の操作具合を体験し難い上、たとえ古参操作人員であってもカリキュラムが実用的でないことを感じる。これにより、長い学習時間を費やしたにもかかわらず、学習の効き目が良好でなく、且つ新しい操作人員の辞職率を容易に向上させている。なお、他方の従来の訓練方式は師と弟子の方式、即ち現場で一対一で新しい人員を教育する訓練方式である。しかし、新しい人員が初期に現場で装置を操作する或いは新しい装置を初期にオンライン（On Line）する場合、この訓練方式では、多くの操作手順にエラーが生じ、製品の品質不良を起し、歩留り率と製品収率が低下して生産のコストを増大させることになる。
【０００４】
そのため、上述した従来技術の問題を解決するプログラム型操作装置の人員の教育方式が求められていた。
【発明の開示】
【発明が解決しようとする課題】
【０００５】
本発明の目的は、所定の装置の操作パネル及び様々な状況を模擬し、訓練のコストと時間を低減する模擬ソフトウェアシステム及びその実行方法を提供することにある。
【０００６】
本発明のもう一つの目的は、模擬される装置の様々な操作手順のテストを実行する模擬ソフトウェアシステムの実行方法を提供することにある。
【０００７】
本発明のもう一つの目的は、教育のためにデータベースと接続して訓練データを保存するための模擬ソフトウェアシステムを提供することにある。
【０００８】
本発明のもう一つの目的は、半導体処理／テスト装置または分類装置の操作手順を模擬するための模擬ソフトウェアを提供することにある。
【課題を解決するための手段】
【０００９】
以上の目的を達成するために、本発明は、模擬ソフトウェアの実行方法を提供する。この方法は、訓練テキストの複数のイベントを提供するステップと、操作表示領域と応答表示領域を提供するステップと、操作表示領域に複数のイベントのうちの第１のイベントを定義し、応答表示領域に複数のイベントのうちの第２のイベントを定義するステップと、第１のイベントと第２のイベントに応じた少なくとも一つの応答画面または一連の応答画面を定義し、応答表示領域に応答画面を表示するステップと、第１のイベントと第２のイベントの定義が完了したかどうかを判断するステップと、複数のイベントのうちの第１のイベントと第２のイベントから訓練モジュールが製作されるステップと、実体人機インターフェイスに前記モジュールが接続されるステップとを含む。
【００１０】
以上の目的を達成するために、本発明は、模擬ソフトウェアシステムを提供する。この模擬ソフトウェアシステムは、訓練テキストの複数のイベント、複数の操作表示領域、複数の応答表示領域及び複数の応答画面を保存する保存装置と、操作表示領域により定義される複数のイベントのうちの第１のイベントと、応答表示領域により定義される複数のイベントのうちの第２のイベントと、第１のイベントと第２のイベントから製作されて実体人機インターフェイスに接続される訓練モジュール、を備える。複数の応答画面の少なくとも１つは、第１のイベントと第２のイベントに応じて定義されて応答表示領域に表示される。
【発明の効果】
【００１１】
上述したことから分かるように、本発明は模擬ソフトウェアシステム及びその実行方法により、所定の装置の操作パネル及び様々な具合を模擬し、訓練のコストと時間を低減することができる。模擬ソフトウェアシステムの実行方法は、模擬される装置の様々な操作手順のテストを実行することができる。模擬ソフトウェアは、半導体処理／テスト装置または分類装置の操作手順を模擬することができる。
【発明を実施するための最良の形態】
【００１２】
以下、本発明の実施形態を図面に基づいて説明する。なお、これによって本発明が限定されるものではない。
【００１３】
図１を参照する。図１は、本発明の一実施形態による模擬ソフトウェアの実行方法を示す流れ図である。本発明の模擬ソフトウェアの実行方法は、情報システムにより模擬ソフトウェアを実行してテキストにして用い、例えば人事部または製品の推進部門で使用されるeラーニングプログラムである。本発明の一好適な実施形態では、本発明を基に模擬ソフトウェアは、プログラム型操作装置（例えば半導体テスト装置または分類装置）の模擬操作インターフェイスに使用される。他方の好適な実施形態では、本発明を基に模擬ソフトウェアは、リモコンにより家電製品の設定または制御計器盤により大型機の制御の模擬操作ステップのために用いられる。この情報システムは、本発明の模擬ソフトウェアを執行する時にテキストを表示する表示装置（図示せず）を含む。
【００１４】
図1に示すように、この模擬ソフトウェアの実行方法は、訓練テキストの複数のイベントを提供するステップ（ステップ１００）と、操作表示領域と応答表示領域を提供するステップ（ステップ２００）と、操作表示領域に複数のイベントのうちの第１のイベントを定義するステップ（ステップ３００）と、応答表示領域に複数のイベントのうちの第２のイベントを定義するステップ（ステップ３００’）と、第１のイベントと第２のイベントに応じた一つの応答画面または一連の応答画面を定義するステップ（ステップ４００）と、第１のイベントと第２のイベントの定義が完了したかどうかを判断するステップ（ステップ５００）と、複数のイベントのうちの第１のイベントと第２のイベントから訓練モジュールが製作されるステップ（ステップ６００）と、実体人機インターフェイス７０に訓練モジュールが接続されるステップ（ステップ７００）と、を含む。本発明の一好適な実施形態では、この訓練モジュールがさらに訓練プラットフォームに接続される（ステップ８００）。
【００１５】
図１及び図２を参照する。図２は、本発明の一実施形態による模擬ソフトウェアが表示画面に操作表示領域２０と応答表示領域３０を表示することを示す略図である。ステップ１００において、訓練テキストの複数のイベントを提供している。訓練テキストの各イベントは、一つの操作ステップまたは一組の操作ステップを代表することが好ましい。
【００１６】
図１及び図２に示すように、ステップ２００において、この情報システムに配置される表示装置の表示画面１０は、操作表示領域２０と応答表示領域３０を表示するために用いられる。そのため、ユーザが表示装置に表示された操作表示領域２０と応答表示領域３０のイベントを選択して定義することができる。この表示装置は、液晶表示器（Liquid Crystal Display：ＬＣＤ）、プラズマディスプレイパネル（Plasma Display Panel：ＰＤＰ）やその他の形式の表示装置でもよい。この情報システムは、ワークステーション（Work Station）システム、パーソナルコンピュータ、ノートブック型コンピュータやその他の形式のコンピュータからなるグループから選択することができる。
【００１７】
図１示すように、操作表示領域２０と応答表示領域３０に各イベントを定義する前、この情報システムは、操作説明ファイル９０に連結されることができる。どのステップにおいても、ユーザは操作説明ファイル９０をオープンして読み取ることができる。本発明の一好適な実施形態では、この操作説明ファイル９０は、ワードファイル、写真ファイルまたはマルチメディア（Multimedia）ファイルから選択することができる。
【００１８】
図２に示すように、操作表示領域２０は、一連のイベントを表示するために用いられ、イベント定義領域２２及び複数のアイコン（icon）２３〜２６を含んでいる。このイベント定義領域２２は、複数のコード２２１及びそれに相対するコード説明２２２を同時に表示するために用いられることができる。複数のコード２２１は、スクロールバー（Scrollbar）で提供されることが好ましい。イベントの手順を調整する時に、このアイコン２３〜２６は、カーソルで選択されることができる。本発明の一好適な実施形態では、このアイコン２３はコードまたはコード説明を追加するために用いられ、このアイコン２４は“DOWN”の機能を代表するために用いられ、アイコン２４とアイコン２５のそれぞれはコードまたはコード説明の順序を下移動するまたは上移動するために用いられ、アイコン２６はコードまたはコード説明を削除するために用いられる。なお、イベントのコードまたはコード説明の順序の移動方式は、アイコン２３〜２６を利用する以外に、直接選択してドラッグアンドドロップ（Drag and Drop）してもよい。
【００１９】
また、図２に示すように、この応答表示領域３０は、応答画面領域３０２及び画面説明領域３０４を含む。本発明の一好適な実施形態では、この応答画面領域３０２は、テキストの各イベントに対応する応答画面を表示するために用いられる。例えば、デジタル撮影技術を利用して応答画面を摘まみ取ることができる。本発明の一好適な実施形態では、この画面説明領域３０４は、文字、アイコン、マルチメディアファイル及び／またはそのコネクティングファイルを利用して応答画面領域３０２に目下表示する応答画面を説明する。
【００２０】
また、図１及び図２に示すように、ステップ３００において、操作表示領域２０により第１のイベントが定義され、ステップ３００’において、応答表示領域３０により第２のイベントが定義される。少なくとも操作インターフェイス画面２１及び２１’が操作表示領域２０に表示される。この操作インターフェイス画面２１及び２１’は、操作パネル画面、リモコンパネル画面または制御計器盤画面からなるグループから選択する。この操作インターフェイス画面２１及び２１’は、複数の操作アイコン２１１〜２１７を有し、例えば、２１１は複数の数字キーアイコンを示し、２１２は複数の英文アルファベットキーアイコンを示し、２１３は操作指令キーアイコンを示し、２１４はノブアイコンを示し、２１５はスイッチアイコンを示す。この操作アイコン２１１〜２１７のクリックによる選択では、アイコンの操作模擬を示すことができる。
【００２１】
2010032968.tif 000003
【００２２】
ステップ３００と３００’において、コード２２１及びそれに相対するコード説明２２２は、この操作インターフェイス画面２１の操作の時、イベント定義領域２２に表示される。本発明の一実施形態では、操作アイコン２１１〜２１７はマークされることが好ましい。
【００２３】
また、図１及び図２示すように、ステップ４００において、一つの応答画面または一連の応答画面は、操作表示領域２０に表示されるイベントに応じて定義され、応答表示領域３０または３０’の応答画面領域３０２に順番に表示される。本発明の一実施形態では、この応答表示領域３０は僅かに第２のイベントに応じてディスプレイに表示される。その他、この模擬ソフトウェアシステムを訓練テキストとして用いる時に、応答画面領域３０２は訓練の操作結果を表示することができる。
【００２４】
また、図１及び図２示すように、ステップ５００において、この模擬ソフトウェアシステムは、テキストの第１のイベントと第２のイベントの定義が完了したかどうかを判断する。判断結果がイエスの時に次のステップを行い、判断結果がノーの時に再びステップ３００と３００’を実行する。ステップ６００において、応答画面及びその説明表示領域は、訓練モジュールが製作されるために用いられる。訓練の時、この訓練モジュールは、互動式コンピュータファイルとして訓練またはテストを行うことができる。
【００２５】
図３を参照する。図３は、本発明の一実施形態による実体人機インターフェイス７０を有する模擬学習ソフトウェアシステムを示すブロック図である。図１ないし図3示すように、ステップ７００において、この訓練モジュールは実体人機インターフェイス７０に接続され、図３示すように、これによって、操作人員が実体人機インターフェイス７０により訓練モジュールを操作して訓練またはテストを行うことができる。この実体人機インターフェイス７０は外部の装置から選択し、例えば操作桿、マウス、キーボード、装置パネル、操作パネル、タッチスクリーン（Touch Screen）やその他の装置でもよい。本発明の一実施形態では、この訓練モジュールはさらに異常／エラー処理モジュールに接続されている。異常／エラー処理モジュールは、操作時にエラーが現れた時に、ユーザに注意を与ることができる。ステップ８００において、この訓練モジュールは、さらに訓練プラットフォームに接続されて模擬ソフトウェアシステムを形成する。
【００２６】
また、図２に示すように、他方の好適な実施形態では、タッチスクリーンを表示装置として用い、これによって、操作人員が操作表示領域２０と応答表示領域３０に直接に互動式コンピュータファイルを操作することができる。
【００２７】
図３に示すように、本発明の模擬ソフトウェアシステムは、保存装置４０と学習モジュール５０をさらに含む。この保存装置４０は保存モジュール４２、模擬操作データベース４４、知識管理データベース４６、デジタル学習データベース４７及び手柄管理データベース４８を有する。この学習モジュール５０は放送機能モジュール５２及びカリキュラム練習モジュール５４を有する。訓練の時、学習モジュール５０は保存装置４０に保存されたイベントを表示するために用いられ、これにより、様々な情報が模擬操作データベース４４、知識管理データベース４６、デジタル学習データベース４７及び手柄管理データベース４８に保存されることができる。
【００２８】
また、図３に示すように、本発明の模擬ソフトウェアシステムは、異常／エラー処理モジュール６０をさらに含む。訓練モジュールが製作される時に、訓練モジュールは異常／エラー処理モジュール６０に接続され、訓練の時に異常／エラーの注意を与ることができる。本発明の一実施形態では、異常／エラー処理モジュール６０は保存装置４０に接続され、これにより、異常／エラーの情報が知識管理データベース４６と手柄管理データベース４８に保存されることができる。 
【００２９】
本発明では好適な実施形態を前述の通り開示したが、これらは決して本発明を限定するものではなく、当該技術を熟知するものなら誰でも、本発明の精神と領域を脱しない範囲内で各種の変動や潤色を加えることができる。従って本発明の保護の範囲は、特許請求の範囲の内容を基準とする。
【図面の簡単な説明】
【００３０】
【図１】本発明の一実施形態による模擬ソフトウェアの実行方法を示す流れ図である。
【図２】本発明の一実施形態による模擬ソフトウェアが表示画面に操作表示領域と応答表示領域を表示することを示す略図である。
【図３】本発明の一実施形態による実体人機インターフェイスを有する模擬学習ソフトウェアシステムを示すブロック図である。
【符号の説明】
【００３１】
１０  表示画面
２０  操作表示領域
２１、２１’  操作インターフェイス画面
２１１〜２１７  操作アイコン
２３〜２６  アイコン
９０  操作説明ファイル
２２１  コード
２２２  コード説明
３０、３０’  応答表示領域
３０２  応答画面領域
３０４  画面説明領域
４０  保存装置
４２  保存モジュール
４４  模擬操作データベース
４６  知識管理データベース
４７  デジタル学習データベース
４８  手柄管理データベース
５０  学習モジュール
５２  放送機能モジュール
５４  カリキュラム練習モジュール
６０  異常／エラー処理モジュール
７０  実体人機インターフェイス
【図１】
2010032968.tif 000004
【図２】
2010032968.tif 000005
【図３】
2010032968.tif 000006